(57)【要約】【課題】鉢部から洗浄液を飛散させることなく鉢部を清掃することができ、スイッチ操作だけで自動的に鉢部洗浄を行うよう構成することも可能である便器清掃装置を提供する。【解決手段】洗浄ノズル７による洗浄作動時に液が鉢部２から飛散することを防止するためのカバー１３が設けられている。このカバー１３は、形状記憶高分子材料よりなるシート状物であり、その内部にはヒータ線が埋設されている。便座ボックス４の前部底面と洋風便器１の上面との間にカバー１３の収納部１４が設けられている。カバー１３は、常温にあるときには蛇腹状に折り畳まれた形状となっている。便座５及び便蓋６を開け、鉢部洗浄スイッチをＯＮとすると、カバー１３のヒータ線に通電され、カバー１３が鉢部２に被さって密着する。【選択図】　図１
2004068278.tif 000002
【特許請求の範囲】
【請求項１】
洋風便器の鉢部を清掃するための便器清掃装置において、
該鉢部の上面に被さって鉢部内を密閉するカバーと、
該鉢部内面を洗浄する洗浄手段と、
を有することを特徴とする便器清掃装置。
【請求項２】
請求項１において、該洗浄手段は、該鉢部内面に洗浄液を掛ける洗浄ノズルを有することを特徴とする便器清掃装置。
【請求項３】
請求項２において、前記洗浄ノズルは、洗浄薬液と清水とを切り替えて噴出可能であることを特徴とする便器清掃装置。
【請求項４】
請求項１ないし３のいずれか１項において、該洋風便器の後部上面に設置されるボックスを備えており、
前記カバーは、該ボックスに設けられた収納部内に収納可能であると共に、該収納部から展開して鉢部内を密閉可能となっていることを特徴とする便器清掃装置。
【請求項５】
請求項４において、前記収納部は、前記ボックスの前部下縁に配置されており、且つ前記カバーは、展開した状態から上方へ引き上げ可能となっていることを特徴とする便器清掃装置。
【発明の詳細な説明】
【０００１】
【発明の属する技術分野】
本発明は、便器の鉢面を清掃するための便器清掃装置に係り、特に鉢部にカバーを被せて鉢面を清掃するよう構成された便器清掃装置に関する。
【０００２】
【従来の技術】
洋風便器に付着した汚れを、洗浄薬液と清水とを該洋風便器に吹き付けて流去させる装置が特開平６−１９７８５０号に記載されている。
【０００３】
この特開平６−１９７８５０号の大便器洗浄装置は、洋風便器全体をシャッター様のカバーですっぽりと覆い、洋風便器の上方から除菌剤含有液を洋風便器目掛けて噴出させ、次に清水を噴出させ、最後に温風を吹き掛けて乾燥させ、その後カバーを開けるように構成されている。
【０００４】
【発明が解決しようとする課題】
上記特開平６−１９７８５０号の便器装置は、便器周囲の床や壁を耐水、防水構造としなければならず、トイレ全体が特殊構造になるものであり、通常のトイレには適用できない。
【０００５】
本発明は、洋風便器の鉢部のみをカバーで被って洗浄することができる便器清掃装置を提供することを目的とする。
【０００６】
【課題を解決するための手段】
本発明の便器清掃装置は、洋風便器の鉢部を清掃するための便器清掃装置において、該鉢部の上面に被さって鉢部内を密閉するカバーと、該鉢部内面を洗浄する洗浄手段とを有することを特徴とするものである。
【０００７】
かかる便器清掃装置にあっては、洋風便器の鉢部上面にカバーを被せた後、鉢部内面を洗浄する。カバーにて鉢部を密閉しているので、洗浄時に液が鉢部外に飛散することはない。従って、トイレルームの床や壁は通常の構成のままで良い。なお、洋風便器自体も通常の構成のもので足りる。
【０００８】
本発明では、洋風便器の後部上面に設置されるボックスを備えており、カバーは、該ボックスに設けられた収納部内に収納され、且つ該収納部から展開して鉢部内を密閉可能となっている構成とすることが望ましい。この構成によれば、非洗浄時にはカバーを収納部内に収納しておき、洗浄時に収納部から引き出して鉢部に被せることができるため、極めて便利である。
【０００９】
この場合、収納部は、ボックスの前部下縁に配置されており、且つカバーは、展開した状態から上方へ引き上げ可能となっていることが好ましい。このように展開したカバーを上方へ引き上げることにより、収納部を露出させ、収納部を清掃することが可能となる。
【００１０】
本発明では、洗浄手段としては、鉢部内面に洗浄液を掛ける洗浄ノズルを有するものであることが好ましい。この場合、ノズル本数を少なくするために、洗浄ノズルは、洗浄薬液と清水とを切り替えて噴出可能であることが好ましい。
【００１１】
【発明の実施の形態】
以下、図面を参照して実施の形態について説明する。図１（ａ）は実施の形態に係る便器清掃装置を備えた洋風便器の縦断面図（洋風便器下部は側面図）、図１（ｂ）は図１（ａ）の一部の拡大図、図２はカバーの斜視図、図３は洗浄ノズルの先端部の斜視図、図４は洗浄ノズルへの給液系統図、図５は収納部の清掃時の図１（ｂ）と同一部分の断面図である。
【００１２】
図１の通り、洋風便器１は前部に鉢部２を有し、該鉢部２の上部内周にリム３が設けられている。洋風便器１の後部上面に便座ボックス４が設置されており、該便座ボックス４に便座５と便蓋６とが起倒回動可能に取り付けられている。
【００１３】
この便座ボックス４内に鉢部２の清掃用の洗浄ノズル７がブラケット１１によって取付設置されている。この洗浄ノズル７は、シリンダ８と、該シリンダ８から伸出可能なピストン状のノズル本体９と、該ノズル本体９の先端に設けられた複数の噴出孔１０とを有している。シリンダ８内に給液されると、ノズル本体９はこの給液圧に押されて図１（ａ）の２点鎖線９’のように前進する。
【００１４】
この実施の形態では、ノズル本体９の先端は拡大した球状となっており、噴出孔１０は図３の通り略水平面内のほぼ全方位（３６０°）にわたって液を噴出しうるように多数設けられている。
【００１５】
便座ボックス４の前部下面には、この洗浄ノズル７のノズル本体９が前進時に通過する開口１２が設けられている。
【００１６】
この洗浄ノズル７による洗浄作動時に液が鉢部２から飛散することを防止するためのカバー１３が設けられている。このカバー１３は、形状記憶高分子材料よりなるシート状物であり、その内部にはヒータ線（図示略）が埋設されている。
【００１７】
カバー１３の後部には、図２の通り、このカバー１３を便座ボックス４に取り付ける固定具として機能し、且つヒータ線への通電端子として機能するボルト１３ａが設けられている。便座ボックス４の前部底面は、洋風便器１の上面から所定距離だけ離隔し、この便座ボックス４の前部底面と洋風便器１の上面との間にカバー１３の収納部１４が設けられている。
【００１８】
カバー１３は、ボルト１３ａにより、該収納部１４の奥部の天井面部分に取り付けられている。
【００１９】
カバー１３は、常温にあるときには図１（ｂ）のように蛇腹状に折り畳まれた形状となっている。カバー１３内のヒータ線に通電してカバー１３を昇温させると、図１（ａ）のようにカバー１３は平たく延在した形状となる。カバー１３は、洋風便器１の鉢部２の全周を覆う大きさを有しており、平たく延在したカバー１３はリム３の上面全体に密着する。
【００２０】
図２の通り、このカバー１３には、ノズル本体９が通過する孔１３ｂが設けられている。この孔１３ｂの内径（直径）はノズル本体９の先端部以外の直径と等しい。この孔１３ｂからは放射方向に複数のスリットが延設されており、この孔１３ｂよりも大径のノズル本体９の先端部も通過可能となっている。
【００２１】
図４の通り、洗浄ノズル７のシリンダ８の後端には、三方弁１５を介して、洗浄薬液タンク１６、ポンプ１７と清水（水道水）配管１８が接続されている。
【００２２】
このように構成された便器清掃装置にあっては、便座５及び便蓋６を開け、鉢部洗浄スイッチ（図示略）をＯＮとすると、まずカバー１３のヒータ線に通電され、カバー１３が前方に展開し、図１（ａ）の通り鉢部２の上面に被さって密着する。
【００２３】
次に、三方弁１５によって洗浄ノズル７と洗浄薬液タンク１６とが連通されてポンプ１７が作動される。これにより、ノズル本体９がカバー１３の孔１３ｂを通って前進し、その先端が鉢部２内に配置され、噴出孔１０から洗浄薬液が噴出する。この洗浄薬液は、リム３の内周面３ａ及び鉢部２の内面２ａ全体に注ぎ掛けられる。
【００２４】
この洗浄薬液の噴出後、三方弁１５が洗浄ノズル７と配管１８を連通し、清水がノズル本体９の噴出孔１０から噴出し、リム内周面３ａ及び鉢部内面２ａのすすぎが行われる。
【００２５】
この洗浄薬液による洗浄及び清水によるすすぎにより、鉢部内面２ａ及びリム内周面３ａが清浄なものとなる。この洗浄に際しては、カバー１３が鉢部２に被さって密着しているので、液が外部に飛散することが無い。
【００２６】
洗浄終了後、カバー１３のヒータ線への通電が停止される。これにより、カバー１３の温度が低下し、カバー１３は蛇腹形状となり、収納部１４内に引き込まれる。
【００２７】
なお、このカバー１３が図１（ａ）のように平たく延出した状態において、該カバー１３の先端側を摘み、図５の如くカバー１３を上方に持ち上げた場合には、収納部１４が露出することになる。この図５の状態とすることにより、収納部１４に面する便座ボックス４の底面や洋風便器１の後部上面を念入りに清掃（例えば拭き掃除）することができる。このように便座ボックス４の前部と洋風便器１の上面との間を十分に清掃することにより、この部分に入り込んだ尿などに起因した臭気を防止することができる。
【００２８】
なお、図示はしないが、便座ボックス４内には人体臀部に向って温水を噴出する温水洗浄ノズルが設置されている。この温水洗浄ノズルも前記開口１２を通って鉢部２内に伸出可能となっている。
【００２９】
上記実施の形態では洗浄薬液も洗浄ノズル７から噴出させる構成としているが、洗浄薬液は市販品容器から直接に鉢部内面２ａに注ぎ掛け、清水によるすすぎのみを洗浄ノズル７で行うようにしてもよい。
【００３０】
上記実施の形態は本発明の一例であり、本発明は図示以外の形態をもとりうる。例えば、洋風便器１にはロータンクが設けられてもよい。また、上記の清水を加温するヒータや温水タンクを設けてもよい。洗浄手段は、洗浄ブラシ装置などであってもよい。カバー１３は手動又は電動により出入れされてもよい。この場合、カバー１３の材質は樹脂、ゴムなど種々のものとしうる。
【００３１】
【発明の効果】
以上の通り、本発明によると、鉢部から洗浄液を飛散させることなく鉢部を清掃することができる。本発明によると、スイッチ操作だけで自動的に鉢部洗浄を行うよう構成することも可能である。
【図面の簡単な説明】
【図１】（ａ）図は実施の形態に係る便器清掃装置を備えた洋風便器の縦断面図であり、（ｂ）図は（ａ）図の一部の拡大図である。
【図２】カバーの斜視図である。
【図３】洗浄ノズルの先端部の斜視図である。
【図４】洗浄ノズルへの給液系統図である。
【図５】収納部の清掃時の図１（ｂ）と同一部分の断面図である。
【符号の説明】
１　洋風便器
２　鉢部
２ａ　鉢部内面
３　リム
３ａ　リム内周面
４　便座ボックス
７　洗浄ノズル
１０　噴出孔
１３　カバー
１４　収納部
【図１】
2004068278.tif 000003
【図２】
2004068278.tif 000004
【図３】
2004068278.tif 000005
【図４】
2004068278.tif 000006
【図５】
2004068278.tif 000007